(57)【要約】【課題】  １種類のカウンターで、洗面器あるいは手洗器をカウンターの中央に配置したり、左右何れか側寄りに配置したりすることができる洗面器あるいは手洗器用カウンターを提供する。【解決手段】  洗面器３あるいは手洗器を設置するためのカウンター２であって、このカウンター２の長手方向中央部および中央部より左右何れか側にずれた位置には、給水管６，排水管５等を通すことができるとともに、洗面器３あるいは手洗器で覆蓋することのできる貫通穴２ａが形成されている。【選択図】  図２
2005087648.tif 000002
【特許請求の範囲】
【請求項１】
洗面器あるいは手洗器を設置するためのカウンターであって、該カウンターの長手方向中央部および中央部より左右何れか側にずれた位置には、給水管，排水管等を通すことができるとともに、洗面器あるいは手洗器で覆蓋することのできる貫通穴が形成されていることを特徴とする洗面器あるいは手洗器用カウンター。
【請求項２】
前記請求項１に記載のカウンターを施工する際に、該カウンターを裏返す、あるいは水平面内で回転させ、前記貫通穴をカウンターの中央に配置したり、カウンターの左右何れか端側に配置することを特徴とするカウンターを用いた洗面器あるいは手洗器の設置方法。
【発明の詳細な説明】
【技術分野】
【０００１】
本発明は、洗面器あるいは手洗器を設置するためのカウンター、及び、このカウンターを用いた洗面器あるいは手洗器の設置方法に関するものである。
【背景技術】
【０００２】
従来、図９に分解図で示すように、カウンター５１に洗面器５２を設置する際に、洗面器５２の給水，排水管等を通すために必要な穴５１ａは、工場で加工するにしても現場で加工するにしても、予め決められた１つの位置に、穴開け加工を施して実施されていた。
【０００３】
また、図１０に示すような平板状のカウンター６１上に、左端側に洗面器を設置しようとする場合には、予めカウンター６１の左端側に給水，排水管用の穴６１ａを開口させていた。
また、洗面器を中央部に設置する場合には、図１１に示すように、中央部に給水，排水管用の穴６１ａを形成させていた。
また、カウンター６１の右端側に洗面器を設置する場合には、図１２に示すように、右端側に給水，排水管用の穴６１ａを開口させていた。
【０００４】
なお、従来、特許文献１に開示されているように、カウンターを左右方向において３枚に分割した構成とし、各分割体を上下に重ね合わせ、左右の重ね合わせ量を調整することで、カウンター全体の左右方向寸法を調整する構成のカウンターがあるが、このようなカウンターは３枚で構成されたものであり、１枚構成のものではなかった。
【特許文献１】特開２００１−２７５８６２号公報
【発明の開示】
【発明が解決しようとする課題】
【０００５】
なお、従来のような構造では、前述した図１０〜図１２に示すように、洗面器の設置位置に対応して、それぞれの位置に給水，排水管用穴６１ａを形成させた、少なくとも３種類の品番のカウンター６１を在庫しておくか、現場で大変な工数をかけて図１０〜図１２の何れかの位置に穴開け加工する必要があった。
【課題を解決するための手段】
【０００６】
本発明は上記従来の問題点に鑑み案出したものであって、１種類の１枚のカウンターのみで、洗面器あるいは手洗器を、中央に配置したり、両サイド何れか側に配置したりできる洗面器あるいは手洗器用カウンター及び、該カウンターを用いた洗面器あるいは手洗器の設置方法を提供せんとするものであり、請求項１は、洗面器あるいは手洗器を設置するためのカウンターであって、該カウンターの長手方向中央部および中央部より左右何れか側にずれた位置には、給水管，排水管等を通すことができるとともに、洗面器あるいは手洗器で覆蓋することのできる貫通穴が形成されていることである。
【０００７】
また、カウンターを用いた洗面器あるいは手洗器の設置方法は、前記請求項１に記載のカウンターを施工する際に、該カウンターを裏返す、あるいは水平面内で回転させ、前記貫通穴をカウンターの中央に配置したり、カウンターの左右何れか端側に配置することである。
【発明の効果】
【０００８】
本発明は、カウンターの長手方向中央部および中央部より左右何れか側にずれた位置には、給水管，排水管等を通すことができるとともに、洗面器あるいは手洗器で覆蓋することのできる貫通穴が形成されていることにより、１種類のカウンターのみで、洗面器あるいは手洗器を、カウンターの中央に配置したり、また、カウンターを裏返したり水平面内で回転させることで、左サイド側にも、また右サイド側にも配置することができるものとなり、カウンターの品番が削減されて、在庫管理等が容易なものとなる。
【０００９】
また、洗面器あるいは手洗器の設置方法では、カウンターを裏返す、あるいは水平面内で回転させ、貫通穴をカウンターの中央に配置したり、カウンターの左右何れか端側に配置することとしたため、１種類のカウンターを現場に搬入して、現場に対応させてカウンターに対する洗面器あるいは手洗器の配置位置を変えて良好に施工することができ、従来のように複数種類のカウンターを現場に搬入したり、また現場で穴開け作業を行う必要がなく、施工が容易なものとなる。
【実施例１】
【００１０】
以下、本発明の実施例を図面に基づいて説明する。
図１は、カウンターと洗面器の分解斜視図であり、上面にカウンター２が設けられたフレーム台１には４本の脚部１ａ，１ａ，１ａが垂設されており、カウンター２には、上下に貫通して方形状の貫通穴２ａが形成されている。
この貫通穴２ａは、カウンター２の長手方向中央部を含み、左端側へずれた横長状に貫通形成されたものであり、この貫通穴２ａを覆蓋するように、カウンター２の上面には洗面器３あるいは手洗器が設置されるものである。
なお、図中４は、洗面器３に取り付けられた水栓金具である。
【００１１】
図２は、洗面器３をカウンター２上に設置した状態の平面構成図であり、洗面器３はカウンター２の長手方向の中央部に設置されている。
洗面器３が設置された状態で、洗面器３の左端縁の内側に貫通穴２ａが隠されて、洗面器３で貫通穴２ａが良好に覆蓋されるものであり、貫通穴２ａ内の右寄り位置には、洗面器３の排水管５および給水管６，給湯管７が通されるものである。
【００１２】
なお、貫通穴２ａは、カウンター２上に設置する洗面器３の寸法に合わせて、予め工場で横長状に貫通形成されるものであり、洗面器３を中央に設置した場合でも、また、図３のように、洗面器３をカウンター２の左端寄りに設置した場合にも、良好に貫通穴２ａが洗面器３で覆蓋されるように、洗面器３の寸法に合わせて貫通穴２ａの寸法が設計されている。
例えば、図２および図３では、貫通穴２ａの右端は、カウンター２の長手方向中央よりも右側に位置し、貫通穴２ａの左端は、カウンター２の長手方向左端側に寄った位置となっている。
【００１３】
また、図５に示すように、カウンター２を、現場で表裏を反転させて裏返しにすることで、図４に示すように、洗面器３をカウンター２の右端寄りに設置することもでき、この右端寄りに洗面器３を設置した場合にも、洗面器３で良好に貫通穴２ａが覆蓋されるように、貫通穴２ａの寸法および位置が設定されている。
なお、カウンター２を裏返す他に、水平面内で回転させることによっても、図４のように、カウンター２の右端寄りに洗面器３を設置することができるものである。
【００１４】
このように貫通穴２ａは、設置する洗面器３あるいは手洗器の寸法，形状に合わせて、予めその寸法および位置が設計されてカウンター２に貫通形成されており、１種類のカウンター２を現場に搬入して、洗面器３をカウンター２の中央部に設置することも、また、カウンター２の左右何れか端寄りに設置することもできるものであり、カウンター２は１種類在庫しておけば良く、在庫管理等が容易となり、また１種類であるため、製造コストも低減させることができるものとなる。
【実施例２】
【００１５】
次に、図６，図７，図８では第２実施例を示す。
第２実施例では、カウンター２の中央部に、中央貫通穴２ｂを貫通形成させ、かつカウンターの中央部より左側へずれた位置に、別の偏心貫通穴２ｃを貫通形成させたものである。
図６に示すように、洗面器３をカウンター２の中央部に設置する場合は、中央貫通穴２ｂ内に洗面器３の排水管５，給水管６，給湯管７を通して、洗面器３をカウンター２の中央部に設置することができ、洗面器３を設置した状態で、この洗面器３により、中央貫通穴２ｂおよび偏心貫通穴２ｃの上面を覆蓋できるように構成したものである。
即ち、本例においても、洗面器３の寸法に合わせて、中央貫通穴２ｂの右端と偏心貫通穴２ｃの左端間の寸法が設定されている。
【００１６】
次に、図７に示すように、洗面器３をカウンター２の左端寄りに設置する場合には、偏心貫通穴２ｃ内に排水管５，給水管６，給湯管７を通して、洗面器３をカウンター２の左端寄りに設置することができ、洗面器３を設置した状態で、この洗面器３により、中央貫通穴２ｂおよび偏心貫通穴２ｃの上面を覆蓋させることができるように構成されている。
【００１７】
次に、図８に示すように、洗面器３をカウンター２の右端寄りに設置する場合には、カウンター２を、現場で表裏を反転させて裏返しにするか、または水平面内で回転させ、偏心貫通穴２ｃ内に排水管５，給水管６，給湯管７を通して、洗面器３をカウンター２の右端寄りに設置することができ、洗面器３を設置した状態で、この洗面器３により、中央貫通穴２ｂおよび偏心貫通穴２ｃの上面を覆蓋させることができるように構成されている。
【図面の簡単な説明】
【００１８】
【図１】カウンターと洗面器の設置前の分解斜視図である。
【図２】カウンターの中央部に洗面器を設置した状態の平面構成図である。
【図３】カウンターの左端寄りに洗面器を設置した状態の平面構成図である。
【図４】カウンターを裏返してカウンターの右端寄りに洗面器を設置した状態の平面構成図である。
【図５】現場でカウンターを裏返して使用する場合の作用説明図である。
【図６】第２実施例のカウンターの中央部に洗面器を設置した状態の平面構成図である。
【図７】第２実施例のカウンターの左端寄りに洗面器を設置した状態の平面構成図である。
【図８】第２実施例のカウンターを裏返してカウンターの右端寄りに洗面器を設置した状態の平面構成図である。
【図９】従来のカウンターと洗面器との分解斜視図である。
【図１０】穴を左端側に形成した従来のカウンターの平面構成図である。
【図１１】穴を中央部に形成した従来のカウンターの平面構成図である。
【図１２】右端側に穴を形成した従来のカウンターの平面構成図である。
【符号の説明】
【００１９】
１  フレーム台
１ａ  脚部
２  カウンター
２ａ  貫通穴
２ｂ  中央貫通穴
２ｃ  偏心貫通穴
３  洗面器
５  排水管
６  給水管
７  給湯管
【図１】
2005087648.tif 000003
【図２】
2005087648.tif 000004
【図３】
2005087648.tif 000005
【図４】
2005087648.tif 000006
【図５】
2005087648.tif 000007
【図６】
2005087648.tif 000008
【図７】
2005087648.tif 000009
【図８】
2005087648.tif 000010
【図９】
2005087648.tif 000011
【図１０】
2005087648.tif 000012
【図１１】
2005087648.tif 000013
【図１２】
2005087648.tif 000014